【事件の表示】
　特願２００４−３２４１７８「被検物質の検出方法」拒絶査定不服審判事件〔平成１８年　５月２５日出願公開，特開２００６−１３３１３７〕について，次のとおり審決する。
【結　論】
　本件審判の請求は，成り立たない。
【理　由】
第１　手続の経緯　
　本願は，平成１６年１１月８日を出願日とする特許出願であって，平成２２年７月１４日付けで拒絶理由が通知され，同年９月２７日付けで意見書と共に手続補正書が提出された後，さらに平成２３年４月７日付けで最後の拒絶理由が通知され，同年６月１３日付けで意見書と共に手続補正書が提出されたが，平成２４年１月１９日付けで，当該平成２３年６月１３日付け手続補正書による補正が特許法第１７条の２第３項に違反するものであるとして同法第５３条第１項の規定に基づき却下されると共に，同日付で，平成２３年４月７日付けの拒絶理由通知書に記載の理由によって拒絶査定がなされたのに対し，平成２４年４月２４日に拒絶査定不服審判の請求がなされるとともに，同日付けで手続補正がなされたものである。そして，平成２５年２月１８日付けで審尋がなされ，回答書が平成２５年２月２０日付けで請求人より提出された。
　
　
第２　平成２４年４月２４日付けの手続補正についての補正却下の決定
［補正却下の決定の結論］
　平成２４年４月２４日付けの手続補正（以下，「本件補正」という。）を却下する。
　
［理由］
１　本件補正の内容
　本件補正は，補正前の特許請求の範囲の請求項１〜４を削除するとともに，補正前の請求項５について，
　
「【請求項５】
被検物質として抗原又は抗体のうち一方を含む試料溶液と前記被検物質に特異的に結合する結合物質として抗原又は抗体のうち他方とを接触させた後、電極電位を変化させながら前記被検物質と前記結合物質との特異的結合により生じる電流変化を測定するものであり、具体的には、
　前記結合物質を電極表面に固定してなる結合物質固定化電極と前記試料溶液とを接触させて前記被検物質と前記結合物質とを特異的に結合させた後、前記被検物質の電気化学的酸化による電流変化を測定するものであり、前記結合物質固定化電極は、前記結合物質が固定化タンパク質を介して前記電極表面に固定されたものであることを特徴とする被検物質の検出方法。」を　
　
「【請求項１】
　被検物質として抗原又は抗体のうち一方を含む試料溶液と前記被検物質に特異的に結合する結合物質として抗原又は抗体のうち他方とを接触させた後、電極電位を変化させながら前記被検物質と前記結合物質との特異的結合により生じる電流変化を測定するものであり、具体的には、前記結合物質を電極表面に固定してなる結合物質固定化電極と前記試料溶液とを接触させて前記被検物質と前記結合物質とを特異的に結合させた後、
未反応の被検物質及び非特異的に吸着又は結合した被検物質を除去してから、
　
２　本件補正の目的
（１）特許請求の範囲の請求項１についての本件補正は，補正前の請求項５に係る発明を特定する事項である「前記結合物質を電極表面に固定してなる結合物質固定化電極と前記試料溶液とを接触させて前記被検物質と前記結合物質とを特異的に結合させた後、前記被検物質の電気化学的酸化による電流変化を測定する」について，「前記結合物質を電極表面に固定してなる結合物質固定化電極と前記試料溶液とを接触させて前記被検物質と前記結合物質とを特異的に結合させた後、
未反応の被検物質及び非特異的に吸着又は結合した被検物質を除去してから、
　
（２）そうしてみると，特許請求の範囲についての本件補正は，平成１８年法律第５５号改正附則第３条第１項によりなお従前の例によるとされる同法による改正前の特許法第１７条の２第４項第２号の特許請求の範囲の減縮を目的するものに該当するといえる。
　
３　独立特許要件
　そこで，本件補正後の請求項１に係る発明（以下，「補正発明」という。）が，平成１８年法律第５５号改正附則第３条第１項によりなお従前の例によるとされる同法による改正前の特許法第１７条の２第５項において準用する同法第１２６条第５項の規定に適合するか，すなわち，本件の特許出願の際に独立して特許を受けることができるものであるかについて以下に検討する。
　
（１）引用刊行物の記載事項
ア　原査定の拒絶の理由に引用され，本願出願日前に頒布された刊行物である，国際公開第０３／０８９８９５号（以下，「引用刊行物ア」という。）には，図面の図示と共に，次の事項が記載されている（下線は当審で付与したものであり，日本語翻訳文については対応する特表２００５−５２０１７５号公報の対応箇所を抜粋したもの）。
　
（ア−１）「FIELD OF THE INVENTION
　The present invention concerns 
methods for the electrochemical detection of members of specific binding pairs
（１頁１０行〜１２行，「【技術分野】【０００１】本発明は、
特異的結合対のメンバーの電気化学的検出方法
　
（ア−２）「Target molecule as used herein refers to any type of molecule for which detection may be desired, including but not limited to peptides, proteins, nucleic acids, polysaccharides, lipids, lipoproteins, etc.
　
Binding pair refers to a pair of molecules, one of which may be a target molecule, which members of said pair of molecules specifically and selectively bind to one another. Examples of suitable binding pairs include
antigens and antibodies
（９頁７行〜１６行，「【００２７】本明細書で使用される「標的分子」は、ペプチド類、タンパク質、核酸、多糖類、脂質、リポ蛋白質等を含むがこの限りではない、検出が望まれるあらゆるタイプの分子を指す。
【００２８】
「結合対」は、一方が標的分子であってもよい一対の分子であって、該分子対のメンバーが、特異的にかつ選択的に、互いに結合する分子対を指す。適当な結合対の例としては、
抗原と抗体
が挙げられる
　
（ア−３）「The term probe as used herein refers to a molecule which specifically binds to another molecule in a binding pair, which probe molecule may be used to determine the presence or absence of the other molecule. Probes may be any member of a binding pair and include, for example, proteins, peptides, natural or synthetic nucleic acids such as DNA or RNA, etc.」
（９頁３２行〜１０頁２行，「【００３３】本明細書で使用される用語「プローブ」は、結合対として別の分子に特異的に結合する分子を指し、そのプローブ分子を使用して、他方の分子の有無を決定することが可能である。プローブは、結合対の任意のメンバーであってもよく、たとえば、タンパク質、ペプチド類、天然の核酸又は合成の核酸、たとえばＤＮＡ又はＲＮＡ等を含む。」）
　
（ア−４）「
A. Labels
　
In general, a label used to carry out the present invention is any compound, moiety or group that can be oxidized within a suitable voltage range for implementing the present invention, such as a range of about 0 or 0.2 volts up to about 1.4 or 1.6 volts
（１０頁２３行〜３２行，「【００３８】
Ａ．標識
　
一般に、本発明を実施するために使用される標識は、本発明を実施するのに適した電圧範囲内、たとえば約０又は０．２ボルトから約１．４又は１．６ボルトまでの範囲で酸化され得る化合物、部分又は基である
　
（ア−５）「
The method of the invention may be used to electrochemically detect targets containing endogenous labels, for example, particular amino acids in proteins
endogenous labels are oxidized or reduced in a catalytic reaction with a mediator. In the protein-detection system, these moieties include amino acids that are oxidized by catalytic mediated electrochemistry in the potential range of interest (600-1200 mV) and at potentials below that required for the oxidation of water. This includes cysteine, tyrosine, tryptophan, and histidine
（１１頁１５行〜２４行，「【００４０】
本発明の方法を使用して、内因性標識、たとえば、特定のアミノ酸をタンパク質中に含む標的を電気化学的に検出することが可能である
メディエーターを用いた触媒反応で、内因性標識を酸化又は還元する。タンパク質検出システムにおいて、これらの部分は、当該電位範囲（６００−１２００ｍＶ）でかつ水の酸化に必要な電位より低い電位で、触媒を介した電気化学により酸化されるアミノ酸を含む。この中には、システイン、チロシン、トリプトファン、及びヒスチジンが含まれる
　
（ア−６）「
D. Detection of Oxidation-Reduction Reactions
　
The occurrence of the oxidation-reduction reaction of the invention may be detected according to any suitable means known to those skilled in the art. For example, the occurrence of the oxidation-reduction reaction may be detected using a detection (working) electrode to observe a change in the electrochemical signal, which is indicative of the occurrence of the oxidation-reduction reaction
　
In order to prepare the electrode for modification with immobilized biological binding entities, the electrode is modified with a suitable nonconductive layer
The nonconductive layer may be one or more of the following, for example
one or more layers of biomolecules such as proteins, antibodies, biotin-binding molecules (avidin, streptavidin
protein A, protein G
on an electrode designed to detect human chorionic gonadotropin (hCG), the nonconductive layer could be an anti-hCG capture antibody
（１４頁１６行〜１５頁２４行，「【００４６】
Ｄ．酸化還元反応の検出
　
当業者に周知の適当な方法により、本発明の酸化還元反応の発生を検出することが可能である。たとえば、酸化還元反応の発生は、酸化還元反応の発生を示す電気化学的シグナルの変化を観察するための検出（作用）電極を使用して検出することが可能である
【００４７】
固定化された生物学的結合実体による改良に適した電極を作製するためには、適当な非導電層を用いて電極を改良する
非導電層は、
たとえば、タンパク質、抗体、ビオチン結合性分子（アビジン、ストレプトアビジン
タンパク質Ａ、タンパク質Ｇ
等の１つ以上の層
生体分子で構成される非導電層の場合、非導電層は、バインダー、標的タンパク質、代理標的、又はアフィニティリガンドに対する捕捉層の役割を果たすことができる
ヒト絨毛性ゴナドトロピン（ｈＣＧ）を検出するための電極では、非導電層は、抗ｈＣＧ捕捉抗体であってもよく
　
（ア−７）「The detection of the electrochemical signal produced by the catalytic oxidation-reduction of labels permits the determination of the presence or absence of specific substances in a sample. As used herein, terms such as determining or detecting the presence or absence of a substance as used to describe the instant invention, also include quantitation of the amount of the substance. In the invention, the transition metal mediator is oxidized by an electrode. Then, the mediator is reduced by the label and then reoxidized at the electrode. Thus, there is electron transfer from the label to the transition metal mediator resulting in regeneration of the reduced form of the transition metal mediator as part of a catalytic cycle.」
（１５頁３１行〜１６頁５行，「【００４９】標識の触媒的酸化還元により生じる電気化学的シグナルを検出することにより、サンプル中に特定の物質が存在するか存在しないかを決定することが可能になる。本明細書で使用される、物質の「有無」を決定又は検出する等の用語は、本発明を説明するために使用されるとき、物質の計量も含む。本発明では、遷移金属メディエーターが電極により酸化される。次いで、このメディエーターは標識により還元され、次いで電極にて再酸化される。従って、触媒回路の一部として、遷移金属メディエーターの還元形が再生される結果となる、標識から遷移金属メディエーターへの電子移動が存在する。」）
　
（ア−８）「
In cyclic voltammetry, the potential of the electrochemical system is varied linearly from an initial potential between 0-800 mV to a final potential between 500-1600 mV at a constant scan rate (0.01 mV/s to 200 V/s)
（１６頁２７行〜３１行，「【００５１】
サイクリックボルタンメトリーでは、一定の走査速度で（０．０１ｍＶ／ｓ〜２００Ｖ／ｓ）、０〜８００ｍＶの初期電位から５００〜１６００ｍＶの最終電位まで、電気化学システムの電位を直線的に変化させる
　
（ア−９）「E. Deconvolution of Signals.　
　
When a cyclic voltammogram of two mediators is obtained, two peak currents can be measured at the potentials that correspond to each mediator
（１８頁９行〜１１行，「【００５５】
Ｅ．シグナルの解析
　
２種のメディエーターのサイクリックボルタモグラムが得られるとき、各メディエーターに対応する電位で、２つのピーク電流を測定することができる
　
（ア−１０）「F. Quantitating Target Binding.
　The herein-described method is particularly well-suited to the quantitative detection of nucleic acid and protein targets and other binding substances. In the case described in this section, the rate constant for oxidation of labels associated with the bound target by the mediator can be determined from the cyclic voltammogram by digital simulation. ... In practice, a calibration curve for the current enhancements obtained with different quantities of standard solutions containing label is constructed so that the electrochemical signal enhancement observed for an electrode treated with a test sample can be used to obtain directly the quantity of label (and target) bound to the electrode. This quantity is then related directly to the quantity of target present in the test sample.」
（１９頁８行〜２２行，「【００５８】
Ｆ．標的結合の計量
　本明細書に記載の方法は、核酸及びタンパク質標的及び他の結合性物質の定量的検出に特に適している。本セクションに記載の事例では、メディエーターにより結合される標的と関連した標識の酸化に関する速度定数は、サイクリックボルタモグラムから、デジタル・シミュレーションによって決定することができる。…（略）…。実際には、被検サンプルを加えた電極で観察される電気化学的シグナルの増強を使用して、電極に結合した標識（及び標的）の量が直接得られるように、標識を含有する標準溶液の異なる量で得られる電流増強に関する検量線を構築する。次いで、この量を、被検サンプル中に存在する標的の量に直接関係させる。」）
　
（ア−１１）「
H. Assay Formats
　
The general methods of contacting a sample and then detecting of binding interaction in instant invention can be carried out in any suitable assay format, including but not limited to conventional sandwich assays
assays with direct target detection
（２０頁１８行〜２４行，「【００６１】
Ｈ．アッセイ形式
　
本発明でサンプルを接触させ、次いで結合相互作用を検出する一般的な方法は、従来のサンドイッチアッセイ
直接標的検出によるアッセイを含むがその限りではない任意の適当なアッセイ形式で実施することができる
　
（ア−１２）「
1. Sandwich . Briefly, in the sandwich assay format, the procedure consists of modifying the electrode with the first member of the binding pair (i.e., antibody, receptor, or DNA), adding the sample, which may or may not contain the target protein or target substance,
washing to remove unbound reagents, and adding mediator. Electrochemical interrogation is performed, and enhanced cyclic voltammetry or chronoamperometry signal relative to a control indicates the presence of the target protein or target substance in the sample
　In this format, 
the target in the sample is detected via capture by a solid-phase immobilized first binder, such as an antibody
to form a target complex
the presence of target in a sample is evident from the increased current generated by the target complex. In contrast, significantly less current is generated with samples not containing the target since complex formation does not occur
（２１頁１２行〜２８行，「【００６２】
１．サンドイッチ。簡単に記載すると、サンドイッチアッセイ形式の場合、手順は結合対の第１のメンバー（すなわち、抗体、受容体、又はＤＮＡ）で電極を修飾するステップと、標的タンパク質又は標的物質を含有しても含有しなくてもよいサンプルを加えるステップと、
未結合の試薬を除去するために洗浄し、メディエーターを加えるステップとからなる。電気化学的反応測定を実施し、対照に比して増強されたサイクリックボルタンメトリー又はクロノアンペロメトリーシグナルは、標的タンパク質又は標的物質がサンプル中に存在することを示す
【００６３】この形式では、
固相に固定化された第１のバインダー、たとえば、標的複合体を形成するための抗体
による捕捉
サンプル中の標的が検出される
サンプル中に標的が存在することは、標的複合体によって生じる電流増加から明白である。対照的に、標的を含有しないサンプルでは、複合体形成が起こらない
　
（ア−１３）「
3. Direct. In the direct target detection assay, the steps are the same as for the sandwich assay except a labeled second binder is not added. The labeled second binder is not required in this case because the target protein has the property of being electrochemically active itself, and allows direct mediated electrochemical detection of the target. This approach can be used particularly for large proteins (i.e.,  150 kD), such as antibodies
that contain many amino acids and thus are able to generate a significant electrochemical current by themselves through a catalytic oxidation-reduction reaction with a mediator such as Ru(bpy)
3
+2
（２１頁３０行〜２２頁３行，「【００６８】
３．直接。直接標的検出アッセイでは、標識された第２のバインダーを加えないこと以外は、サンドイッチアッセイの場合と同じステップである。この場合、標的タンパク質そのものが、電気化学的に活性であるという特性を有し、標的の直接的な介在電気化学的検出を可能にするため、標識された第２のバインダーは必要ではない。このアプローチは、特に巨大タンパク質（すなわち、≧１５０ｋＤ）、たとえば、多くのアミノ酸を含有し、したがって、Ｒｕ（ｂｐｙ）
3
+2
等のメディエーターとの触媒的酸化還元反応により単独でかなりの電気化学的電流を発生することができる、抗体
に使用することができる。
　
（ア−１４）「
I. Electrode Structures and Devices
　An electrode useful for the electrochemical detection of a preselected base in a nucleic acid in accordance with the methods described above comprises: (a) a conductive substrate having a working surface formed thereon; and (b) a nonconductive {e.g. polymer) layer connected to the working surface. 
The polymer layer is one that binds the members of the first, second, third, or fourth (etc.) binding pairs (e.g., by hydrophobic interaction or any other suitable binding technique) and is porous to the transition metal complex (i.e., the transition metal complex can migrate to the nucleic acid bound to the polymer). The members of the binding pairs (e.g., probes or binders) may be immobilized on the nonconductive layer in accordance with known techniques
Exemplary nonconductive materials include
other materials such as streptavidin, avidin, protein A, protein G, and antibodies
（２３頁３３行〜２４頁「【００７１】
Ｉ．電極構造及び装置
　上述の方法に従って、核酸中の予め選択された塩基を電気化学的に検出するのに有用な電極は、（ａ）上に形成された作用表面を有する導電性基材、及び（ｂ）作用表面に接続された非導電性（たとえばポリマー）層を含む。
ポリマー層は、第１の結合対、第２の結合対、第３の結合対、又は第４（等々）の結合対のメンバーを（たとえば、疎水性相互作用又は任意の他の適当な結合技術によって）結合するものであり、遷移金属錯体透過性である（すなわち、遷移金属錯体が、ポリマーに結合した核酸に移動できる）。既知の技術に従って、結合対のメンバー（たとえば、プローブ又は「バインダー」）を非導電層上に固定化することが可能である
代表的な非導電性材料としては、
他の材料、たとえば、ストレプトアビジン、アビジン、タンパク質Ａ、タンパク質Ｇ及び抗体などがある
　
　以上のことから，特に上記の記載事項（ア−８）と（ア−１２）を中心に整理すると，引用刊行物アには，以下の発明が記載されていると認められる。
　
「標的物質に特異的に結合する第１のメンバーで電極を修飾するステップと，
　前記第１のメンバーで修飾された前記電極に前記標的物質を含有しうるサンプルを接触させるステップと，
　未結合の試薬を除去するために洗浄するステップと，
　酸化還元反応の触媒として作用する遷移金属錯体メディエーターを加えるステップと，
　一定の走査速度で初期電位から最終電位まで電位を変化させるサイクリックボルタンメトリーを用いた電気化学的反応測定を実施し，前記第１のメンバーによって捕捉された前記標的物質に含まれる電気化学的に活性な標識の酸化によって生ずる電流を測定することによって，前記サンプル中の前記標的物質を検出する方法。」（以下，「引用発明」という。）
　
（２）補正発明と引用発明との対比
　補正発明と引用発明とを対比すると，引用発明の「標的物質」，「標的物質に特異的に結合する第１のメンバー」，「標的物質に特異的に結合する第１のメンバーで…修飾」された「電極」，「サンプル」，「未結合の試薬を除去するために洗浄する」こと及び「一定の走査速度で初期電位から最終電位まで電位を変化させるサイクリックボルタンメトリーを用いた電気化学的反応測定を実施し，前記第１のメンバーによって捕捉された前記標的物質に含まれる電気化学的に活性な標識の酸化によって生ずる電流を測定する」ことは，それぞれ，補正発明の「被検物質」，「被検物質に特異的に結合する結合物質」，「結合物質を電極表面に固定してなる結合物質固定化電極」，「試料溶液」，「未反応の被検物質及び非特異的に吸着又は結合した被検物質を除去」すること及び「電極電位を変化させながら前記被検物質と前記結合物質との特異的結合により生じる電流変化を測定するものであ」って「被検物質の電気化学的酸化による電流変化を測定する」ことに相当する。
　
　また，引用発明の「前記第１のメンバーで修飾された前記電極に前記標的物質を含有しうるサンプルを接触させるステップ」は，このステップにより「標的物質」が「第１のメンバーで修飾された前記電極」の「第１のメンバーによって捕捉され」るものであることが明らかであるから，補正発明の「前記結合物質を電極表面に固定してなる結合物質固定化電極と前記試料溶液とを接触させて前記被検物質と前記結合物質とを特異的に結合させ」に相当する。
　
　そうすると，両者は，次の点で一致し，以下の点で相違するといえる。
　
［一致点］
「被検物質を含む試料溶液と前記被検物質に特異的に結合する結合物質とを接触させた後，電極電位を変化させながら前記被検物質と前記結合物質との特異的結合により生じる電流変化を測定するものであり，
　前記結合物質を電極表面に固定してなる結合物質固定化電極と前記試料溶液とを接触させて前記被検物質と前記結合物質とを特異的に結合させた後，未反応の被検物質及び非特異的に吸着又は結合した被検物質を除去してから，前記被検物質の電気化学的酸化による電流変化を測定するものである被検物質の検出方法。」　
　
［相違点］
（相違点１）
　「被検物質」及び「結合物質」について，補正発明では，それぞれ，「抗原又は抗体のうち一方」及び「抗原又は抗体のうち他方」と特定しているのに対して，引用発明ではこれらの点が特定されていない点。
　
（相違点２）
　「結合物質固定化電極」について，補正発明では，「前記結合物質が固定化タンパク質を介して前記電極表面に固定されたものである」と特定しているのに対して，引用発明ではこの点が特定されていない点。
　
（３）相違点についての検討・判断
　上記相違点について検討する。
　
（相違点１について）
　引用発明において特異的に結合する「標的物質」及び「第１のメンバー」の組み合わせ（結合対）に関し，引用刊行物アには，「適当な結合対の例としては、…抗原と抗体…等が挙げられる」（上記（ア−２）参照）と記載され，より具体的に，「固定化された生物学的結合実体による改良に適した電極を作製するためには、適当な非導電層を用いて電極を改良する。…ヒト絨毛性ゴナドトロピン（ｈＣＧ）を検出するための電極では、非導電層は、抗ｈＣＧ捕捉抗体であってもよく」（上記（ア−６）参照）と記載されている。
　
　そうすると，引用発明の「標的物質」及び「第１のメンバー」の組み合わせ（結合対）として，引用刊行物アの上記記載の示唆に従い，補正発明のように，それぞれ「抗原又は抗体のうち一方」及び「抗原又は抗体のうち他方」と特定することは，当業者が容易に想到し得たものであるといえる。
　
（相違点２について）
　まず，上記相違点２に係る補正発明の具体的構成について，本願の発明の詳細な説明を見るに，以下の記述がある（下線は当審で付与したもの）。
　
「【００２１】
　固定化タンパク質としては、結合物質を担体表面に固定可能であるとともに、電気化学的に活性なアミノ酸であるトリプトファン及び／又はチロシンを含むタンパク質を用いることが好ましい。
より具体的には、
ストレプトアビジン等のアビジン、プロテインＡ、プロテインＧ等が挙げられる
…
【００２８】
　また、第２の方法では、電極表面に結合物質を直接固定化するだけでなく、
電極表面に固定した固定化タンパク質を介して、結合物質を電極に固定してもよい。ここで用いる固定化タンパク質としては、第１の例の説明で列挙した固定化タンパク質を使用可能である
公知の固定化タンパク質をいずれも使用可能
　
　上記記載に照らし，補正発明の「固定化タンパク質」としては，ストレプトアビジン等のアビジン、プロテインＡ、プロテインＧ等を具体例としつつ，あらゆる公知の固定化タンパク質を含むものであるといえる。
　
　これに対して，引用発明の電極の具体的構成に関し，引用刊行物アには，「固定化された生物学的結合実体による改良に適した電極を作製するためには、適当な非導電層を用いて電極を改良する。…非導電層は、…たとえば、タンパク質、抗体、ビオチン結合性分子（アビジン、ストレプトアビジン、ニュートラビジン）、タンパク質Ａ、タンパク質Ｇ、…等の１つ以上の層。生体分子で構成される非導電層の場合、非導電層は、バインダー、標的タンパク質、代理標的、又はアフィニティリガンドに対する捕捉層の役割を果たすことができる。たとえば、ヒト絨毛性ゴナドトロピン（ｈＣＧ）を検出するための電極では、非導電層は、抗ｈＣＧ捕捉抗体であってもよく、…」（上記（ア−６）参照）と記載されている。
　
　上記記載は，引用発明の「電極」に，「ストレプトアビジン，タンパク質Ａ，タンパク質Ｇ等の１つ以上の層からなる非導電層を用いて電極を改良し」，その上で，「生物学的結合実体」を電極に固定化することを示唆したものといえる。
　
　そうしてみると，引用発明において，引用刊行物アの上記記載の示唆に従い，相違点２に係る補正発明のように構成することは，当業者が容易に想到し得たものであるといえる。
　
　
　そして，本願明細書に記載された補正発明の効果も，当業者であれば予測し得る範囲内のものであり，格別顕著なものとはいえない。
　
（４）小括
　したがって，補正発明は，引用発明に基づいて当業者が容易に発明をすることができたものであるというべきであるから，特許法第２９条第２項の規定により，特許出願の際独立して特許を受けることができないものである。
　
４　まとめ
　以上を総合すると，補正発明は，特許法第２９条第２項の規定によって特許出願の際独立して特許を受けることができないものであるから，本件補正は，却下すべきものである。
　
　
第３　本願発明に対する判断
１　本願発明の認定
　以上のとおり，平成２４年４月２４日付けの手続補正は上記のとおり却下されることとなったので，本願の請求項１〜８に係る発明は，平成２２年９月２７日付けの手続補正書により補正された特許請求の範囲の請求項１〜８に記載された事項により特定されるものであると認められ，その請求項５に係る発明（以下，「本願発明」という。）は，次のとおりのものである。
　
「【請求項５】
被検物質として抗原又は抗体のうち一方を含む試料溶液と前記被検物質に特異的に結合する結合物質として抗原又は抗体のうち他方とを接触させた後、電極電位を変化させながら前記被検物質と前記結合物質との特異的結合により生じる電流変化を測定する
ものであり、具体的には、
　前記結合物質を電極表面に固定してなる結合物質固定化電極と前記試料溶液とを接触させて前記被検物質と前記結合物質とを特異的に結合させた後、前記被検物質の電気化学的酸化による電流変化を測定するものであり、前記結合物質固定化電極は、前記結合物質が固定化タンパク質を介して前記電極表面に固定されたものである
　
２　引用刊行物の記載事項
　本願出願日前に頒布された刊行物である引用刊行物の記載事項は，前記「第２の３（１）引用刊行物の記載事項」に記載したとおりである。
　
３　判断
　本願発明は，上記「第２の１　本件補正の内容」及び「第２の２　本件補正の目的」において検討したとおり，補正発明の一部限定を削除したもの，言い換えれば，補正発明は本願発明の構成要件をすべて含むものであるということができる。
　しかるに，本願発明の構成要件をすべて含む補正発明が，上記「第２の３　独立特許要件」に記載した理由によって，特許法第２９条第２項の規定によって特許を受けることができないものであるから，本願発明についても同様の理由により，特許法第２９条第２項の規定によって特許を受けることができないものである。
　
　
第４　結び
　以上のとおり，本願発明は，特許法第２９条第２項の規定により特許を受けることができないから，他の請求項に係る発明について言及するまでもなく，本願は，拒絶されるべきものである。
　
　よって，結論のとおり審決する。